(57)【要約】【課題】  責任者コードを入力すると、サッカー台やレジ台などの高さを、当該責任者が作業し易い高さに自動調整する機能を備えた商品販売データ処理装置を、提供する。【解決手段】  責任者毎の入力部と決済部との高さを記憶する責任者テーブル４０を有し、１人制モードが選択された場合は入力された責任者の責任者テーブル４０に記憶された前記入力部と決済部との高さに入力部と決済部を調整し、前記２人制モードが選択された場合は入力部を操作する責任者の責任者テーブル４０に記憶された入力部の高さに入力部を調整するとともに決済部を操作する責任者の責任者テーブルに記憶された決済部の高さに決済部を調整する調整手段とを備えたことを特徴とする商品販売データ処理装置としたもの。【選択図】  図１
2005107912.tif 000002
【特許請求の範囲】
【請求項１】
商品販売データの入力手段を有する入力部と、取引決済データの決済手段を有する決済部とからなり、前記入力部と前記決済部とを同一の責任者が操作する１人制モードと前記入力部と前記決済部とを異なる責任者が操作する２人制モードとの選択が可能な商品販売データ処理装置において、
責任者を特定する情報を入力する責任者入力手段と、
責任者毎に入力部と決済部との高さを記憶する責任者テーブルと、
１人制モードが選択された場合は前記責任者入力手段によって入力された情報で特定された責任者の責任者テーブルに記憶された前記入力部と決済部との高さに入力部と決済部を調整し、２人制モードが選択された場合は前記責任者入力手段によって入力された情報で特定された入力部を操作する責任者の責任者テーブルに記憶された入力部の高さに入力部を調整するとともに前記責任者入力手段によって入力された情報で特定された決済部を操作する責任者の責任者テーブルに記憶された決済部の高さに決済部を調整する調整手段と
を備えたことを特徴とする商品販売データ処理装置。
【請求項２】
前記入力部と決済部の少なくとも一方には高さを再調整する再調整手段と、
再調整手段により変更された高さで責任者テーブルを更新する更新手段と
を備えたことを特徴とする請求項１記載の商品販売データ処理装置。
【請求項３】
２人制モードが選択された場合に、決済部で決済部の高さの再調整をする決済部再調整手段と、入力部の高さを再調整する入力部再調整手段と
をさらに備えたことを特徴とする請求項１記載の商品販売データ処理装置。
【発明の詳細な説明】
【技術分野】
【０００１】
本発明は、商品販売データの入力処理と取引決済データの決済処理とをひとりの責任者で行う１人制モードと、別々の責任者で分担して行う２人制モードとの選択が可能な商品販売データ処理装置に関する。
【背景技術】
【０００２】
従来より、１人制モードと２人制モードとの切替が可能な商品販売データ処理装置が利用されている。
この装置は、作業台としてのサッカー台に設置されたスキャナ装置と、レジ台に載せられたＰＯＳターミナルとで構成され、スキャナ装置で商品に付されたバーコードを読み取り商品入力し、ＰＯＳターミナルで合計金額を算出し、顧客と金銭の授受を行う。ＰＯＳターミナルより責任者の登録を行うと、サッカー台とレジ台とを予め設定された高さに調整するものがある（特許文献１参照）。
【特許文献１】特開平０７−１２１２６６号公報
【発明の開示】
【発明が解決しようとする課題】
【０００３】
ところで、従来のＰＯＳターミナルでは、責任者登録された操作者にサッカー台とレジ台の両方の高さを調整するので、ＰＯＳターミナルとスキャナ装置の操作者が異なる２人制モードでは、ＰＯＳターミナルを操作する責任者とスキャナ装置を操作する責任者はサッカー台やレジ台をそれぞれの希望する高さに調整ができず作業性が悪くなっていた。
【０００４】
本発明の目的は、２人制モードにおいて入力部と決済部の高さを責任者が作業し易い高さに自動調整する機能を備えた商品販売データ処理装置を提供することにある。
【課題を解決するための手段】
【０００５】
この発明は上記事情に鑑みてなされたもので、責任者毎の入力部と決済部の台の高さを記憶する責任者テーブルとを有し、１人制モードが選択された場合は、入力された責任者の責任者テーブルに記憶された前記入力部と決済部の台の高さに調整し、２人制モードが選択された場合は、入力部を操作する責任者の責任者テーブルに記憶された入力部の台の高さに調整するとともに決済部を操作する責任者の責任者テーブルに記憶された決済部の台の高さに調整する調整手段とを備えたことを特徴とする商品販売データ処理装置としたものである。
【発明の効果】
【０００６】
本発明の効果として、１人制モードで行うときも２人制モードで行うときでも、迅速に責任者の好みに応じてレジ台やサッカー台の高さを最適に調整できるため作業効率が向上する。
【発明を実施するための最良の形態】
【０００７】
以下、本発明の商品販売データ処理装置の実施の形態を、図１ないし図１０を用いて説明する。
図１は本装置の概略図である。本装置は入力部と決済部で構成されている。入力部となるスキャナ装置２は、商品データを入力するための作業台であるサッカー台１、サッカー台１に立設して形成されたスキャナ本体２９ａに設けられた商品データを入力するためのスキャナ２９、スキャナ本体２９ａの上部に設けられた入力部用表示部２４、やはりスキャナ本体２９ａの上部に設けられたサッカー台１の高さを調整するためのキーを含む入力用キーボード２５で構成されている。
【０００８】
レジ台３に設置された決済部としてのＰＯＳターミナル４は、ドロワ１９、決済部用表示部１４、サッカー台１とレジ台３の高さを調整するためのキーを含む決済用キーボード１５などを有している。１人制モードでは一人の責任者が入力部と決済部を操作し、２人制モードでは、ひとりがチェッカーとして入力部を操作し、もうひとりがキャッシャーとして決済部を操作する。
【０００９】
図２示すように、前記ＰＯＳターミナル４には、ＣＰＵ（Ｃｅｎｔｒａｌ  Ｐｒｏｃｅｓｓｉｎｇ  Ｕｎｉｔ）１１を備えている。また、各種のデータを書換え自在に記憶するＲＡＭ（Ｒａｎｄｏｍ  Ａｃｃｅｓｓ  Ｍｅｍｏｒｙ）１２、プログラム等が予め格納されたＲＯＭ（Ｒｅａｄ  Ｏｎｌｙ  Ｍｅｍｏｒｙ）１３、決済部用表示装置１４、決済部用キーボード１５、プリンタ１６、１人制モードか２人制モードかを判断するための状態フラグ６０を記憶するＨＤＤ（ハードディスク装置）１７、レジ台３の高さを調整するための決済部用高さ調整装置１８、ドロワ開放装置を含むドロワ１９、レジ台３の高さを検知するための決済部用高さセンサ２０、スキャナ装置２とケーブル３０で接続するための入出力ポート（Ｉ／Ｏ）２１および通信回線３１を介して接続されるホスト装置２３とのデータ通信を制御する通信インタフェース２２を搭載している。
【００１０】
前記スキャナ装置２には、サッカー台１の高さを調整するための入力部用高さ調整装置２６、サッカー台１の高さを検知するための入力部用高さセンサ２７およびＰＯＳターミナル４とケーブル３１で接続するための入出力ポート（Ｉ／Ｏ）２８、商品データを入力するためのスキャナ２９を搭載している。
【００１１】
ＨＤＤ１７には、本装置のモードが１人制モードか２人制モードかを判断するための状態フラグ６０や図示しない商品マスターファイル、売上マスターファイル等の他に、後述する責任者テーブル４０、高さデータテーブル５０が設けられている。これらのテーブルはいずれもＲＡＭ１２に展開して使用される。
【００１２】
ホスト装置２３は、各チェックアウトレーンや店内の各売場などにそれぞれ設置されているＰＯＳターミナル４を通信回線２２で接続して一元的に管理し、販売登録された各商品の販売データを通信回線を介して収集し集計して店舗全体の売上管理等を行うもので、例えば店内の事務所に設置されている。
【００１３】
図３はサッカー台１の高さを調整するための機構を説明するものである。サッカー台１の両端にある側面１ａの内面にそれぞれ油圧シリンダを用いた入力部用高さ調整装置２６を設けてある。サッカー台１に対して油圧シリンダの動作によって、脚部１ｂがサッカー台１に対して相対的に上下動する。入力部用高さ調整装置２６は責任者テーブル４０に記憶されている高さデータやＰＯＳターミナル４やスキャナ装置２から入力された高さデータをもとにサッカー台１の高さ調整を行う。また、入力部用高さセンサ２７は、現在のサッカー台１の高さを計測するものである。詳細な説明はしないが、レジ台３にもこの入力部用高さ調整装置２６と同じ構成の決済部用高さ調整装置１８と入力部用高さセンサ２７と同じ構成の決済部用高さセンサ２０が設置されている。
【００１４】
図４はＰＯＳターミナル４のキーボードの各種のキー配列の１例を示す平面図である。キーボード１５には、クリアキー、テンキー、預／現計キー等とともに、責任者を入力するための責任者キー１５ａ、レジ台３の高さを再調整するためのキーとしてレジ台３を上昇させるレジ台アップキー１５ｂおよびレジ台３を下降させるレジ台ダウンキー１５ｃ、サッカー台１の高さを再調整するためのキーとしてサッカー台１を上昇させるサッカー台アップキー１５ｄおよびサッカー台１を下降させるサッカー台ダウンキー１５ｅ、再調整した台の高さを確定するための確定キー１５ｆが配列されている。
【００１５】
図５はスキャナ装置２のキーボードの各種のキー配列の１例を示す平面図である。キーボード２５には、クリアキー、テンキー等とともに、責任者を入力するための責任者キー２５ａ、２人制を宣言するための２人制キー２５ｂ、サッカー台１の高さを再調整するためのキーとしてサッカー台１を上昇させるサッカー台アップキー２５ｃおよびサッカー台１を下降させるサッカー台ダウンキー２５ｄ、再調整した台の高さを確定するための確定キー２５ｅが配列されている。
【００１６】
前述した責任者テーブル４０は、操作を許可する責任者の情報等を記憶するためのテーブルで、図６に示すように責任者番号４０ａに対応して責任者の氏名４０ｂ、レジ台３の高さ４０ｃおよびサッカー台１の高さ４０ｄのデータを記憶している。
【００１７】
高さデータテーブル５０は、図７に示すように、サッカー台１とレジ台３に取り付けられた決済部用高さセンサ２０および入力部用高さセンサ２７から計測された現在のサッカー台１とレジ台３の高さデータ５０ａおよび５０ｂを記憶している。
【００１８】
次に、図８乃至図１０のフローチャートを用いて本装置の動作を説明する。
まず、ＰＯＳターミナル４にて責任者の番号を登録する（ＳＴ１０）。状態フラグ６０が“０”か否かを判断する（ＳＴ１１）。この状態フラグ６０が“０”である場合は１人制モードと判断する（ＳＴ１１のＹＥＳ）。登録された責任者番号をもとに責任者テーブル４０に記憶されている該責任者のレジ台の高さデータ４０ｃを読み込み、この読み込まれた高さデータ４０ｃと高さデータテーブル５０に記憶されているデータ５０ａをもとに昇降させる高さを算出し、この算出された高さに基づいて決済部高さ調整装置１８を駆動させレジ台の高さを調整する（ＳＴ１２）。例えば、現在のレジ台の高さ５０ａが４８ｃｍで責任者テーブル４０に記憶されているレジ台の高さ４０ｃが４６ｃｍの場合は、これを減算した数値２ｃｍが昇降する高さとなる。
【００１９】
登録された責任者番号をもとに責任者テーブル４０に記憶されている該責任者のサッカー台の高さデータ４０ｄを読み込み、この読み込まれた高さデータ４０ｄと高さデータテーブル５０に記憶されているデータ５０ｂをもとに昇降させる高さを算出する。この算出された高さに基づいて登録部高さ調整装置２６を駆動させサッカー台の高さを調節する（ＳＴ１３）。次に、高さデータテーブル５０を決済部用高さセンサ２０と登録部用高さセンサ２７で読み取られた高さに更新する（ＳＴ１４）。
【００２０】
２人制キーが押下されたか否かを判断する（ＳＴ１５）。２人制キーが押下されなければ（ＳＴ１５のＮＯ）、その他のキーが押下されたか否かを判断する（ＳＴ１６）。その他のキーが押下されたなら１人制モードとしての処理を行う。その他のキーとは、例えば商品入力のためのキーである。
【００２１】
２人制キー２５ｂが押下された場合（ＳＴ１５のＹＥＳ）は、２人制モードが宣言されたため、状態フラグ６０を“１”にする（ＳＴ１７）。スキャナ装置２から責任者の番号の登録されるのを待つ（ＳＴ１８）。
【００２２】
責任者の番号が登録されると（ＳＴ１８のＹＥＳ）、登録された責任者番号をもとに責任者テーブル４０に記憶されている該責任者のサッカー台の高さデータ４０ｄを読み込み、この読み込まれた高さデータ４０ｄと高さデータテーブル５０に記憶されているデータ５０ｂをもとに昇降させる高さを算出する。この算出された高さに基づいて登録部高さ調整装置２６を駆動させサッカー台の高さを調節する（ＳＴ１９）。
【００２３】
次に、高さデータテーブル５０を登録部用高さセンサ２７で読み取られた高さに更新する（ＳＴ２０）。
【００２４】
次に、ステップＳＴ１１で状態フラグ６０が“０”でなかった場合は、２人制モードであるので、ＰＯＳターミナル４での責任者番号の入力か否かを判断する（ＳＴ２１）。ＰＯＳターミナル４での責任者番号の入力ならば（ＳＴ２１のＹＥＳ）、キャッシャーが交代するので入力された責任者番号をもとに責任者テーブル４０に記憶されている該責任者のレジ台の高さデータ４０ｃを読み込み、この読み込まれた高さデータ４０ｃと高さデータテーブル５０に記憶されているデータ５０ａをもとに昇降させる高さを算出する。この算出された高さに基づいて決済部高さ調整装置１８を駆動させレジ台の高さを調整する（ＳＴ２２）。次に、高さデータテーブル５０を決済部用高さセンサ２０で読み取られた高さに更新する（ＳＴ２３）。
【００２５】
ＰＯＳターミナル４での責任者番号の入力でなければ（ＳＴ２１のＮＯ）、チェッカーの交代なので入力された責任者番号をもとに責任者テーブル４０に記憶されている該責任者のサッカー台の高さデータ４０ｄを読み込み、この読み込まれた高さデータ４０ｄと高さデータテーブル５０に記憶されているデータ５０ｂをもとに昇降させる高さを算出する。この算出された高さに基づいて入力部高さ調整装置２６を駆動させサッカー台の高さを調節する（ＳＴ２４）。
次に、高さデータテーブル５０を入力部用高さセンサ２７で読み取られた高さに更新する（ＳＴ２５）。
【００２６】
次に、図９を用いて責任者解除の動作を説明する。
まず、２人制キー２５ｂが押下されたか否かを判断する（ＳＴ３０）。２人制キー２５ｂが押下されなかったならば（ＳＴ３０のＮＯ）、ＰＯＳターミナル４の責任者キー１５ａが押下されたか否かを判断する（ＳＴ３１）。ＰＯＳターミナル４の責任者キー１５ａが押下されなかったならば（ＳＴ３１のＮＯ）、スキャナ装置２の責任者キー２５ａが押下されたか否かを判断する（ＳＴ３２）。スキャナ装置２の責任者キー２５ａが押下されなかったならば（ＳＴ３２のＮＯ）、入力されたキーに対応するその他の処理を行う。
【００２７】
ＰＯＳターミナル４の責任者キー１５ａが押下されるか（ＳＴ３１のＹＥＳ）、スキャナ装置２の責任者キー２５ａが押下されたならば（ＳＴ３２のＹＥＳ）、状態フラグ６０を確認し、状態フラグが“０”ならば（ＳＴ３３のＹＥＳ）１人制モードなので、現在登録されている責任者を解除する（ＳＴ３４）。
【００２８】
ステップＳＴ３３で状態フラグが“０”でなかったならば、２人制モードであるため押下された責任者キーがＰＯＳターミナル４の責任者キー１５ａか否かを判断する（ＳＴ４１）。押下された責任者キーがＰＯＳターミナル４の責任者キー１５ａならば（ＳＴ４１のＹＥＳ）、ＰＯＳターミナル４で登録されているキャッシャーの責任者解除を行う（ＳＴ４２）。押下された責任者キーがＰＯＳターミナル４の責任者キー１５ａでなかった（ＳＴ４１のＮＯ）ならば、スキャナ装置２で登録されたチェッカーの責任者解除を行う（ＳＴ４３）。
【００２９】
次に、ステップＳＴ３０で２人制キー２５ｂが押下されたならば、状態フラグ６０が“１”か否かを判断し（ＳＴ３５）、状態フラグ６０が“１”であったならば（ＳＴ３５のＹＥＳ）、２人制モードから１人制モードへ切換えを行うために、状態フラグ６０に“０”にする（ＳＴ３６）。そして、スキャナ装置２の責任者キー２５ａの入力を待つ（ＳＴ３７）。責任者キー２５ａが入力されたならば（ＳＴ３７のＹＥＳ）、現在チェッカーとして操作を許可していた責任者の登録を解除する（ＳＴ３８）。これで２人制モードが解除され１人制モードとなったため、サッカー台を現在登録されている責任者の責任者テーブルに記憶されている高さにする（ＳＴ３９）。次に、高さデータテーブルを更新する（ＳＴ４０）。
【００３０】
ＳＴ３５で状態フラグ６０が“１”でなかった場合は、２人制モードが宣言されたことになり、ＳＴ１７以下の処理を行う。
【００３１】
次に、図１０を用いて１人制モードが選択されている場合のレジ台３とサッカー台の再調整の動作を説明する。
責任者登録がされている状態で、ＰＯＳターミナル４の決済部用キーボード１５にある再調整するためのレジ台アップキー１５ｂ、レジ台ダウンキー１５ｃ、サッカー台アップキー１５ｄないしサッカー台ダウンキー１５ｅが入力された場合は（ＳＴ５０のＹＥＳ）、入力されたキーに応動して決済部用高さ調整装置１８の油圧シリンダを可動させレジ台３の高さを再調整する（ＳＴ５１）。
【００３２】
レジ台３が希望の高さになり、確定キー１５ｆが押下されたならば（ＳＴ５２のＹＥＳ）、該責任者の責任者テーブル４０に記憶されているレジ台３とサッカー台１の高さデータ４０ｃおよび４０ｄを更新する（ＳＴ５３）。高さデータテーブル５０のレジ台３の高さデータ５０ａおよびサッカー台１の高さデータ５０ｂを決済部用高さセンサ２０および入力部用高さセンサ２７で計測された高さデータに更新する（ＳＴ５４）。
【００３３】
このように構成された本実施の形態の商品販売データ処理装置においては、ＰＯＳターミナル４にて操作する責任者の番号を入力することにより、サッカー台１とレジ台３が責任者テーブル４０に記憶されている高さに調整される。次に、２人制キーが押下されると２人制モードとなり、スキャナ装置２からスキャナ装置を操作するチェッカーの責任者の番号を入力することにより、サッカー台１が責任者テーブル４０に記憶された高さに調整される。ここで、２人制キー２５ｂが押下されず、その他のキーとして商品登録に関するキーが入力された場合は１人制モードとして処理を行う。
【００３４】
次に、登録されている責任者を解除する場合、１人制モードでは、ＰＯＳターミナル４の責任者キー１５ａまたはスキャナ装置２の責任者キー２５ａが押下された場合に登録されていた責任者を解除する。２人制モードでは、キャッシャの責任者解除を行う場合は、ＰＯＳターミナル４の責任者キー１５ａを押下し、チェッカーの責任者解除を行う場合は、スキャナ装置２の責任者キー２５ａを押下することにより、登録されていた責任者を解除する。
【００３５】
２人制モードから１人制モードへ変更する場合は、２人制キー２５ｂを押下することにより１人制モードへ変更可能となる。この場合、チェッカーとして登録されていた責任者は、スキャナ装置２の責任者キー２５ａを押下することにより、登録されていた責任者を解除する。次に、サッカー台１の高さを現在登録されている責任者の責任者テーブルに記憶されている高さ４０ｄに調整し、高さデータテーブル５０を更新する。
【００３６】
なお、２人制モードが選択されている場合の再調整の動作については、詳細な説明は省略するが、チェッカーがスキャナ装置２の再調整するためのサッカー台アップキー２５ｃ、サッカー台ダウンキー２５ｄおよび高さを確定するための確定キー２５ｅを使用し、チェッカーはＰＯＳターミナル４の再調整するためのレジ台アップキー１５ｂ、レジ台ダウンキー１５ｃおよび高さを確定するための確定キー１５ｆを使用する。なお、２人制モードでは、ＰＯＳターミナル４にある再調整するためのサッカー台アップキー１５ｄとサッカー台ダウンキー１５ｅの使用は禁止される。
【００３７】
かくして、１人制モードで行うときも２人制モードで行うときでも、責任者が責任者コードを登録すると、責任者テーブル４０に記憶されているレジ台の高さデータ４０ｃやサッカー台の高さデータ４０ｄの高さに入力部と決済部を自動調整し、再調整キーを操作することにより、サッカー台３やレジ台１の高さを、当該責任者が作業し易い高さに再調整が容易となる。
【００３８】
なお、責任者テーブル４０はホスト２３で全ＰＯＳターミナルのデータを一括管理することも可能である。
【図面の簡単な説明】
【００３９】
【図１】本発明の実施の形態の示す概略図
【図２】同実施の形態を示すブロック図
【図３】同実施の形態の入力部用高さ調整装置を示す図
【図４】同実施の形態のＰＯＳターミナルのキーボードを示す図
【図５】同実施の形態のスキャナ装置のキーボードを示す図
【図６】同実施の形態の責任者テーブルを示す図
【図７】同実施の形態の高さデータテーブルを示す図
【図８】同実施の形態の責任者登録処理のフローチャート
【図９】同実施の形態の責任者解除処理のフローチャート
【図１０】同実施の形態の再調整処理のフローチャート
【符号の説明】
【００４０】
１  サッカー台
２  スキャナ装置
３  レジ台
４  ＰＯＳターミナル
２６  入力部用高さ調整装置
４０  責任者テーブル
【図１】
2005107912.tif 000003
【図２】
2005107912.tif 000004
【図３】
2005107912.tif 000005
【図４】
2005107912.tif 000006
【図５】
2005107912.tif 000007
【図６】
2005107912.tif 000008
【図７】
2005107912.tif 000009
【図８】
2005107912.tif 000010
【図９】
2005107912.tif 000011
【図１０】
2005107912.tif 000012